(57)【要約】  粒子特性評価装置は、光ビームで試料を照射するための光源（３０２）と、光ビーム（１０８）と試料との相互作用により生じる散乱光を検出するように構成される検出器（３０６）と、散乱光を散乱体積から検出器（３０６）へ集光するように、かつ／あるいいは、光ビーム（１０８）を試料に向けるように構成される焦点可変レンズ（１２５，１４５）と、対向する一対の電極を有する試料ホルダ（１１０）であって、試料の平面が電極面と直交して配列され、平面（１５０）が散乱体積に近接するように、試料を一対の電極間の測定体積内の適切な位置に保持するように構成される、試料ホルダ（１１０）と、を備え、焦点可変レンズ（１２５，１４５）の調整が、散乱体積を移動させることにより平面（１５０）と散乱体積との相対位置の調整をもたらす。
2020510838.tif 000002
【特許請求の範囲】
【請求項１】
被検試料の平面のゼータ電位を測定するように構成される粒子特性評価装置であって、
対向する一対の電極を備える試料ホルダであって、前記試料の平面が前記電極の面と直交して配列され、前記平面が散乱体積に近接するように、前記試料を前記一対の電極間の測定体積内の適切な位置に保持するように構成される試料ホルダと、
前記散乱体積を光ビームで照射するための光源と、
前記光ビームと前記散乱体積との相互作用により生じる散乱光を検出するように構成される検出器と、
前記散乱光を前記散乱体積から前記検出器へ集光し、かつ／あるいは、前記光ビームを前記散乱体積に向けるように構成される焦点可変レンズと、
を備え、
前記焦点可変レンズの調整が、前記散乱体積を移動させることにより前記試料の平面と前記散乱体積との相対位置の調整をもたらす、粒子特性評価装置。
【請求項２】
前記試料の平面と前記散乱体積との相対位置の調整は、照射又は検出光路内の光学素子を並進させることを含まないように構成される、請求項１に記載の装置。
【請求項３】
前記焦点可変レンズと前記試料との間に配置される集束レンズをさらに備える、請求項１又は２に記載の装置。
【請求項４】
前記集束レンズが前記焦点可変レンズの主面上に焦点を有する、請求項３に記載の装置。
【請求項５】
前記集束レンズが試料セル内に焦点を有し、前記試料セルが前記試料ホルダを受容するように構成される、請求項３又は４に記載の装置。
【請求項６】
前記焦点可変レンズは、前記光ビームを前記散乱体積に向けるように構成される照射焦点可変レンズを備える、請求項１〜５のいずれか一項に記載の装置。
【請求項７】
前記焦点可変レンズは、前記散乱光を前記検出器へ集光するように構成される検出焦点可変レンズを備える、請求項１〜６のいずれか一項に記載の装置。
【請求項８】
前記装置は、前記照射焦点可変レンズと前記検出焦点可変レンズとを直列に並べて調整するように構成され得る、請求項１〜７のいずれか一項に記載の装置。
【請求項９】
前記散乱体積の位置は、レンズ又はレンズ素子を並進させることなく調整可能である、請求項１〜８のいずれか一項に記載の装置。
【請求項１０】
前記散乱光を前記検出器に到達させるための検出光路と、前記光ビームを前記光源から前記散乱体積に到達させるための照射光路と、を備え、
前記焦点可変レンズは光軸を有し、
前記検出焦点可変レンズの前記散乱体積とは反対側の検出光路は、前記光軸に対して非ゼロの第１角度をなし、
前記照射光路は、前記照射焦点可変レンズの前記散乱体積とは反対側において、前記光軸に対して非ゼロの第２角度をなす、請求項１〜９のいずれか一項に記載の装置。
【請求項１１】
前記第１角度及び前記第２角度は実質的に等しい、請求項１０に記載の装置。
【請求項１２】
前記第１角度及び／又は前記第２角度は、５度から１５度の間であり、かつ／あるいは、１０度以下、又は、５度以下であり得る、請求項１１に記載の装置。
【請求項１３】
前記散乱体積における前記検出及び照射光路の間の角度が１０度以下である、請求項１０〜１２のいずれか一項に記載の装置。
【請求項１４】
前記焦点可変レンズが調整されるときに、前記測定体積における前記検出及び照射光路は共に、前記試料の平面に実質的に平行なままである、請求項１０〜１３のいずれか一項に記載の装置。
【請求項１５】
前記照射及び検出光路が異なる平面上に位置する、請求項１０〜１４のいずれか一項に記載の装置。
【請求項１６】
前記光源と前記焦点可変レンズとの間の前記照射光路上に配置される光源結合レンズを備え、前記光源結合レンズは、前記照射光路を、前記焦点可変レンズの主面上に集束させるように構成される、請求項１０〜１５のいずれか一項に記載の装置。
【請求項１７】
前記検出器と前記焦点可変レンズとの間の前記検出光路上に配置される検出器結合レンズを備え、前記検出器結合レンズは、前記検出光路を、前記焦点可変レンズの主面上に集束させるように構成される、請求項１０〜１５のいずれか一項に記載の装置。
【請求項１８】
前記照射光路は第１平面上に位置し、前記検出光路は第２平面上に位置し、前記第１平面は、前記第２平面に対して非ゼロ角度をなす、請求項１０〜１５のいずれか一項に記載の装置。
【請求項１９】
前記第１平面と前記第２平面との間の角度が散乱角を規定する、請求項１８に記載の装置。
【請求項２０】
前記焦点可変レンズの焦点距離を変更することにより、前記散乱体積の位置を前記試料の平面に接近させて、前記散乱体積の増加をもたらすように構成される、請求項１〜１９のいずれか一項に記載の装置。
【請求項２１】
ビームスプリッタをさらに備え、前記ビームスプリッタが、前記検出光路からの散乱光と重ね合わせるために、照射光ビームの一部を前記検出器に向けるように構成される、請求項１〜２０のいずれか一項に記載の装置。
【請求項２２】
前記照射及び／又は検出光路の空間光変調により変調光ヘテロダイン検出を容易にするために、前記照射光路及び／又は検出光路において少なくとも１つの光学素子を移動／振動させるためのアクチュエータをさらに備える、請求項２１に記載の装置。
【請求項２３】
前記検出器の出力に基づいてゼータ電位測定を実行するように構成される処理装置を備える、請求項１〜２２のいずれか一項に記載の装置。
【請求項２４】
前記焦点可変レンズが変形可能レンズを備える、請求項１〜２３のいずれか一項に記載の装置。
【請求項２５】
前記焦点可変レンズは、刺激を与えることにより屈折率が変化し得る材料を含む、請求項１〜２４のいずれか一項に記載の装置。
【請求項２６】
前記焦点可変レンズは、前方散乱光、後方散乱光、及び、側方散乱光のうちの少なくとも１つを集光するように構成される、請求項１〜２５のいずれか一項に記載の装置。
【請求項２７】
光ビームで試料を照射するための光源と、前記光ビームと前記試料との相互作用により生じる散乱光を検出するように構成される検出器と、前記散乱光を散乱体積から前記検出器へ集光するように、かつ／あるいは、前記光ビームを前記試料に向けるように構成される焦点可変レンズと、を備える粒子特性評価装置であって、前記焦点可変レンズの焦点距離の調整が、前記照射及び検出光路の間の角度を変更することなく前記散乱体積の位置の変更をもたらすように構成される、粒子特性評価装置。
【請求項２８】
前記照射及び／又は検出光路に沿って、集束レンズが前記焦点可変レンズと前記試料との間に設けられる、請求項２７に記載の装置。
【請求項２９】
前記集束レンズが前記焦点可変レンズの主面上に焦点を有し得る、請求項２８に記載の装置。
【請求項３０】
前記集束レンズが試料セル内に焦点を有する、請求項２８又は２９に記載の装置。
【請求項３１】
前記散乱体積の位置は、レンズ又はレンズ素子を並進させることなく調整可能である、請求項２７に記載の装置。
【請求項３２】
前記試料を受容するために、試料セル及び／又は試料セルホルダをさらに備える、請求項２７〜３１のいずれか一項に記載の装置。
【請求項３３】
前記散乱光を前記検出器に到達させるための検出光路と、前記光ビームを前記光源から前記試料に到達させるための照射光路と、を備え、前記検出光路及び前記照射光路のうちの少なくとも１つは前記焦点可変レンズを通過する、請求項２７〜３２のいずれか一項に記載の装置。
【請求項３４】
前記検出光路及び前記検出光路が共に前記焦点可変レンズを通過する、請求項３４に記載の装置。
【請求項３５】
前記焦点可変レンズが光軸を有し、前記検出光路は、前記光軸に対して非ゼロの第１角度をなし、前記照射光路は、前記光軸に対して非ゼロの第２角度をなす、請求項２７〜３４のいずれか一項に記載の装置。
【請求項３６】
前記第１角度及び前記第２角度が実質的に等しい、請求項３５に記載の装置。
【請求項３７】
前記第１角度及び／又は前記第２角度は、それぞれ、５度から１５度の間、及び／又は、１０度以下、又は、５度以下である、請求項３６に記載の装置。
【請求項３８】
前記散乱体積における前記検出及び照射光路の間の角度は１０度以下である、請求項３７に記載の装置。
【請求項３９】
前記照射及び検出光路は共通の平面上に位置する、請求項２７〜３８のいずれか一項に記載の装置。
【請求項４０】
前記検出光路及び前記照射光路は、前記焦点可変レンズから離れた第１位置にて交差する、請求項３３〜３９のいずれか一項に記載の装置。
【請求項４１】
前記第１位置は、前記焦点可変レンズの前記光軸上にある、請求項４０に記載の装置。
【請求項４２】
前記焦点可変レンズは、前記焦点可変レンズの焦点を前記第１位置と同一位置に配置する焦点距離を有するように動作可能である、請求項４０又は４１に記載の装置。
【請求項４３】
前記焦点可変レンズは、前記焦点が前記第１位置と同一位置に配置される場合に、屈折作用がない、請求項４２に記載の装置。
【請求項４４】
前記焦点可変レンズの焦点距離を変更することにより、前記試料内の前記散乱体積の位置を前記光源に接近させることで、前記散乱体積の減少をもたらすように構成される、請求項２７〜４３のいずれか一項に記載の装置。
【請求項４５】
前記検出光路からの散乱光と重ね合わせるために、前記照射光ビームの一部を前記検出器に向けるように構成されるビームスプリッタをさらに備える、請求項２７〜４４のいずれか一項に記載の装置。このことは、前記検出器における光ヘテロダイン検出を可能にする。
【請求項４６】
前記照射及び／又は検出光路の空間光変調による変調光ヘテロダイン検出を容易にするために、前記照射光路及び／又は前記検出光路において少なくとも１つの光学素子を移動／振動させるためのアクチュエータをさらに備える、請求項４５に記載の装置。
【請求項４７】
前記焦点可変レンズは、変形可能レンズ、及び／又は、刺激を与えることにより屈折率が変化し得る材料を含む、請求項２７〜４６のいずれか一項に記載の装置。
【請求項４８】
前記焦点可変レンズは、前記集束レンズに入射する前記光ビーム幅を変化させるように構成される、請求項２８〜４７のいずれか一項に記載の装置。
【請求項４９】
前記検出器からの出力を用いて動的光散乱測定を実行するように構成される処理装置をさらに備える、請求項２７〜４８のいずれか一項に記載の装置。
【請求項５０】
光ビームで試料を照射するための光源と、前記光ビームと前記試料との相互作用により生じる散乱光を検出するように構成される検出器と、前記散乱光を散乱体積から前記検出器へ集光するように、かつ／あるいは、前記光ビームを前記試料に向けるように構成される焦点可変レンズと、前記照射光路及び検出光路のうちの少なくとも１つを前記試料に向けるように構成される集束反射器と、を備える粒子特性評価装置。
【請求項５１】
前記装置は、前記焦点可変レンズの焦点距離を変化させることが、前記散乱体積の位置及び／又はサイズを変更することなく前記試料内の前記照射及び検出光路の交差角を変更するように構成される、請求項５０に記載の装置。
【請求項５２】
前記集束反射器は、前記照射光路及び検出光路を前記試料に向けるように構成される、請求項５０又は５１に記載の装置。
【請求項５３】
前記焦点可変レンズと前記試料との間に集束レンズが設けられる、請求項５０〜５２のいずれか一項に記載の装置。
【請求項５４】
前記集束レンズは、前記焦点可変レンズの主面上に焦点を有する、請求項５３に記載の装置。
【請求項５５】
レンズ又はレンズ素子を並進させることなく散乱角を調整可能である、請求項５４に記載の装置。
【請求項５６】
前記試料を受容するための試料セル及び／又は試料セルホルダをさらに備える、請求項５０〜５５のいずれか一項に記載の装置。
【請求項５７】
前記散乱光を前記検出器に到達させるための検出光路と、前記光ビームを前記光源から前記試料に到達させるための照射光路と、を備え、前記検出光路及び前記照射光路のうちの少なくとも１つは、前記焦点可変レンズを通過する、請求項５０〜５６のいずれか一項に記載の装置。
【請求項５８】
前記検出光路及び前記検出光路が共に前記焦点可変レンズを通過する、請求項５７に記載の装置。
【請求項５９】
前記焦点可変レンズが光軸を有し、前記焦点可変レンズの検出器側の前記検出光路は、前記光軸に対して非ゼロの第１角度をなし、前記焦点可変レンズの光源側の前記照射光路は、前記光軸に対して非ゼロの第２角度をなす、請求項５７又は５８に記載の装置。
【請求項６０】
前記第１角度及び前記第２角度が実質的に等しい、請求項５９に記載の装置。
【請求項６１】
前記第１角度及び／又は前記第２角度は、５度から１５度の間、及び／又は、１０度以下、又は、５度以下である、請求項５９又は６０に記載の装置。
【請求項６２】
前記散乱体積における前記検出及び照射光路の間の角度が１０度以下である、請求項５７〜６１のいずれか一項に記載の装置。
【請求項６３】
前記照射及び検出光路が共通の平面上に位置する、請求項５７〜６２のいずれか一項に記載の装置。
【請求項６４】
前記検出光路及び前記照射光路が、前記焦点可変レンズから離れた第１位置にて交差する、請求項５７〜６３のいずれか一項に記載の装置。
【請求項６５】
前記第１位置が前記焦点可変レンズの前記光軸上にある、請求項６４に記載の装置。
【請求項６６】
前記焦点可変レンズは、前記焦点可変レンズの焦点を前記第１位置と同一位置に配置する焦点距離を有するように動作可能である、請求項６４又は６５に記載の装置。
【請求項６７】
前記焦点可変レンズは、前記焦点が前記第１位置と同一位置に配置される場合に、屈折作用がない、請求項６６に記載の装置。
【請求項６８】
前記焦点可変レンズを調整することにより前記散乱角を減少させることで、前記散乱体積の減少をもたらす、請求項５０〜６７のいずれか一項に記載の装置。
【請求項６９】
前記装置は、前記検出光路からの散乱光と重ね合わせるために、前記照射光ビームの一部を前記検出器に向けるように構成されるビームスプリッタをさらに備える、請求項５０〜６８のいずれか一項に記載の装置。
【請求項７０】
前記ビームスプリッタは、前記照射光路と前記検出光路との交点に配置される、請求項６９に記載の装置。
【請求項７１】
前記照射及び／又は検出光路の空間光変調による変調光ヘテロダイン検出を容易にするために、前記照射光路及び／又は前記検出光路において少なくとも１つの光学素子を移動／振動させるためのアクチュエータをさらに備える、請求項７０に記載の装置。
【請求項７２】
ゼータ電位測定を実行するように構成される処理装置を備える、請求項５０〜７１のいずれか一項に記載の装置。
【請求項７３】
前記焦点可変レンズは、変形可能レンズ、及び／又は、刺激を与えることにより屈折率が変化し得る材料を含む、請求項５０〜７２のいずれか一項に記載の装置。
【請求項７４】
前記焦点可変レンズは、前方散乱光、後方散乱光、及び、側方散乱光のうちの少なくとも１つを集光するように構成される、請求項５０〜７３のいずれか一項に記載の装置。
【請求項７５】
前記焦点可変レンズは、前記集束反射器に入射する光ビーム位置及び／又は光ビーム幅を変化させるように構成される、請求項５０〜７４のいずれか一項に記載の装置。
【請求項７６】
前記集束反射器は、前記検出光路を前記試料内で集束させるように構成される、請求項５０〜７５のいずれか一項に記載の装置。
【請求項７７】
前記検出器からの出力を用いて動的光散乱測定を実行するように動作可能である、請求項５０〜７６のいずれか一項に記載の装置。
【請求項７８】
前記焦点可変レンズを制御することにより、それぞれ異なる散乱角にて一連の測定を実行し、その後、前記検出器からの前記一連の測定に関する出力から静的光散乱測定を判定するように構成される処理装置を備える、請求項５０〜７７のいずれか一項に記載の装置。
【請求項７９】
動的光散乱測定を実行するための処理装置を備える、請求項５０〜７８のいずれか一項に記載の装置。
【請求項８０】
動的又は静的光散乱測定を実行する方法であって、
試料を光ビームで照射するステップであって、それにより、前記光ビームと前記試料との相互作用による散乱光を発生させる、照射するステップと、
前記試料内の検出領域において前記光ビームと交差する検出光路に沿って、前記散乱光を検出するステップであって、それによりデータを取得する、検出するステップと、
前記検出領域の位置、前記検出領域の体積、又は、前記検出領域における前記照射及び検出光路の間の角度のうちの少なくとも１つを、前記照射及び検出光路のうちの少なくとも１つにある焦点可変レンズの焦点距離を変更することにより調整するステップと、
前記焦点可変レンズの焦点距離を変更することにより対応する調整するステップを少なくとも１回実行した後に、前記散乱光を検出するステップを少なくとも１回繰り返すステップと、
前記焦点可変レンズの少なくとも１つの焦点距離から取得したデータを用いて、静的又は動的光散乱測定を実行するステップと、
を含む、方法。
【請求項８１】
各調整するステップが少なくとも前記検出領域の位置を変更し、各調整するステップが、先行する調整するステップに対応する測定データに応答する、動的光散乱測定を実行するステップ、をさらに含む、請求項８０に記載の方法。
【請求項８２】
動的光散乱測定に関する最適な測定位置を判定するステップを含む、請求項８１に記載の方法。
【請求項８３】
前記最適な測定位置を判定するステップは、前記測定データの平均計数率を用いること、及び／又は、前記測定データから生成されるコレログラムの切片を取得すること、を含む請求項８２に記載の方法。
【請求項８４】
前記焦点可変レンズの焦点距離を調整することで複数の散乱角から測定データを取得することにより、動的又は静的光散乱測定を実行するステップを含む、請求項８０〜８３のいずれか一項に記載の方法。
【請求項８５】
試料セル内の粒子の推定濃度を提供するステップをさらに含む、請求項８０〜８４のいずれか一項に記載の方法。
【請求項８６】
前記方法は、前記試料内の粒子濃度を測定するステップを含む、請求項８０〜８５のいずれか一項に記載の方法。
【請求項８７】
請求項１〜７９のいずれか一項に記載の装置を用いることを含む、請求項８０〜８６のいずれか一項に記載の方法。
【発明の詳細な説明】
【発明の詳細な説明】
【０００１】
本発明は、粒子特性評価のための方法及び装置に関する。
光子相関分光法（又は、動的光散乱法、ＤＬＳ）は、粒子懸濁液から散乱される時間分解信号を測定する。試料の緩和時間は、粒径分布が推定され得る散乱信号の相関関数を用いて特定される。この方法は、懸濁液中の各粒子が、照射光ビーム（例えば、レーザ）からの光のみを散乱し、すでに他の粒子から散乱された光を散乱しない場合に、最も効果的に作用する。高濃度での多重散乱は、この方法の質を低下させる傾向にある。
【０００２】
後方散乱角の小さな範囲内では、多重散乱信号は、単散乱信号とほぼ同じ緩和時間（粒径は緩和時間から計算される）を有し得る。
従来技術（非接触後方散乱、又は、ＮＩＢＳと呼ばれる場合がある）では、図１及び２に示されるように、照射レーザ光路及び後方散乱検出光路を、試料セル／キュベット内の変動する位置に配置するために可動レンズを用いる。照射光路と検出光路との交点は、検出領域又は散乱体積と呼ばれ得る。
【０００３】
試料が混濁している（つまり、粒子を高濃度で有する）場合、検出領域はセル壁に近接して配置されてもよく、このことは、試料内の短縮された照射路長に起因して、多重散乱を大幅に減少させる。さらに、後方散乱角は、すでに説明したように、多重散乱信号が単散乱信号と同様の緩和時間を有するように選択されてもよい。
【０００４】
上述した両方の利点を兼ね備えるために、セル内で検出領域を移動させることは有利であり、移動範囲全体にわたって、選択された検出角を維持することもまた有利である。
粒子濃度が低い場合、検出領域は、セルの中心に向かって、又は、少なくとも壁からの静的散乱の寄与を避けて移動されてもよい。壁からの静的散乱の寄与は、高濃度試料においては、粒子からの散乱の寄与に比べて無視できる一方で、このような壁からの静的散乱は、低濃度試料については、相関関係のないノイズの原因に（又は、静的参照信号にさえ）なり得る。壁からの静的散乱の寄与は、それゆえに、信号対雑音比を低下させ得る。静的散乱は、コレログラムのベースラインを上昇させ、それゆえに、測定の信号対雑音の大きさであるその切片を低下させる。検出領域をセル壁から離れるように移動させることは、それゆえに、信号対雑音比を改善する。
【０００５】
試料の低濃度限界において、ＤＬＳは数の変動の影響を受け、それにより、散乱信号は、粒子のブラウン運動により生じる散乱への寄与に加え、検出領域内の粒子数の変動により変化する。しかしながら、より多くの粒子に対応するために検出ビームのサイズを単純に拡大することは、実用的ではない場合がある。なぜならば、このことは、ビームのサイズを単一のコヒーレンス領域よりも大きくし得るからである。ＤＬＳを用いる最大の信号対雑音の測定は、単一のコヒーレンス領域内からの測定に依存し得る。
【０００６】
コレログラムの信号対雑音比は、一般に、コレログラムの切片及びＹ軸から読み取られる。この値を最大化するために、単一モードファイバが、スペックル場の「画像」から単一の空間周波数を選択するように、検出光路内で用いられてもよい。検出光路のサイズを単純に拡大することは、このようなファイバへの最適でない結合をもたらすかもしれず、あるいは、２以上のコヒーレンス領域から集光するかもしれず、このことは、信号対雑音比を低下し得る。
【０００７】
上述した問題の少なくともいくつかを解決又は改善するための方法及び装置が望まれている。
国際公開第２０１６／０３４９０２号は、試料を保持するための試料セル、試料セル内の試料を照射するために光ビームを発生させ、それにより、光ビームと試料との相互作用による散乱光を発生させるための光源、試料内で光ビームを集束するための集束レンズ、及び、試料内で集束された光ビームと交差する検出光路に沿って散乱光を検出するための検出器、を備える粒子特性評価装置であって、試料内の集束された光ビームと検出光路との交点が検出領域を規定し、装置は、検出領域の体積を変化させるための光学構成を備え、試料内の検出領域の位置を変化させるように集束レンズが移動することにより試料内の光ビームの焦点面と検出光路との位置を変化させるように、集束レンズが可動である、粒子特性評価装置を開示する。
【０００８】
本発明の第１態様によれば、光ビームで試料を照射するための光源と、光ビームと試料との相互作用により生じる散乱光を検出するように構成される検出器と、散乱光を散乱体積から検出器へ集光するように、かつ／あるいは、光ビームを試料に向けるように構成される焦点可変レンズと、を備える粒子特性評価装置であって、該装置は、焦点可変レンズの焦点距離の調整が、照射及び検出光路間の角度を変えることなく、散乱体積の位置の変化をもたらすように構成される、粒子特性評価装置が提供される。
【０００９】
「散乱体積」及び「検出領域」という用語は、本開示においては同義である。照射及び検出光路間の角度は、散乱体積にて測定されるものであり、この角度は、本開示において「散乱角」として言及される場合がある。
【００１０】
焦点可変レンズと試料との間には（例えば、照射及び／又は検出光路に沿って）、集束レンズが設けられてもよい。集束レンズは、少なくとも１つの固定焦点距離レンズを備えていてもよい。
【００１１】
集束レンズは、焦点可変レンズの主面上に焦点を有していてもよい。散乱体積の位置が調整されるため、この構成は、一定の散乱角を実現するための的確な方法である。
集束レンズは、試料セル（又は、試料）内に、さらなる焦点を有していてもよい。この構成は、集束レンズが、焦点可変レンズに散乱体積を映し出すことを意味する。
【００１２】
散乱体積の位置は、レンズ又はレンズ素子を並進させることなく調整可能としてもよく、このことは、装置の信頼性をより向上し、かつ／あるいは、照射及び／又は検出光路のより高速の調整を可能にし得る。
【００１３】
装置は、（例えば、試料セル内に）試料を受容するために、試料セル及び／又は試料セルホルダを備えていてもよい。
装置は、散乱光を検出器に到達させるための検出光路、及び、光ビームを光源から試料に到達させるための照射光路を備えていてもよい。検出光路及び照射光路は、共に焦点可変レンズを通過してもよい。いくつかの実施形態において、検出光路のみ、又は、検出光路のみが焦点可変レンズを通過してもよい。
【００１４】
焦点可変レンズは、光軸を有していてもよい。検出光路は、光軸に対して（非ゼロの）第１角度をなしていてもよい。照射光路は、光軸に対して（非ゼロの）第２角度をなしていてもよい。第１及び第２角度は、実質的に同一としてもよい。
【００１５】
第１角度及び／又は第２角度は、５度から１５度の間であってもよく、及び／又は、１０度以下、又は、５度以下であってもよい。散乱体積における検出及び照射光路間の角度は、１０度以下であってもよい。
【００１６】
照射及び検出光路は、共通平面上に位置してもよい（又は、共通平面上になくてもよい）。共通平面は、水平又は垂直であってもよい（明らかな理由から、試料セルの開口は装置内で上方に向けてもよい）。
【００１７】
検出光路及び照射光路は、焦点可変レンズから離れた第１位置にて交差してもよい。第１位置は、焦点可変レンズの光軸上にあってもよい。焦点可変レンズは、焦点可変レンズの焦点を第１位置と同一位置に配置する焦点距離を有するように動作可能としてもよい。
【００１８】
焦点可変レンズは、焦点が第１位置と同一位置に配置される場合に、屈折作用がない状態（ｕｎ−ｐｏｗｅｒｅｄ）にしてもよい（又は、焦点距離の動作範囲の中心にあってもよい）。このことは、焦点可変レンズが、静止又は中心動作点で、又は、静止又は中心動作点の近傍で、より安定性又は線形性を有し得るため、有利となり得る。
【００１９】
光源結合レンズは、光源と焦点可変レンズとの間の照射光路上に配置されてもよい。検出器結合レンズは、検出器と焦点可変レンズとの間の検出光路上に配置されてもよい。光源結合レンズは、照射光路を焦点可変レンズの主面上に集束させるように配置されてもよい。検出器結合レンズは、検出光路が焦点可変レンズの主面（例えば、同一の主面）上に集束するように構成されてもよい。
【００２０】
集束レンズは、焦点可変レンズと試料との間に（例えば、照射及び／又は検出光路に沿って）設けられてもよい。集束レンズは、少なくとも１つの固定焦点距離レンズを備えていてもよい。
【００２１】
集束レンズは、焦点可変レンズの主面上に焦点を有していてもよい。集束レンズは、試料セル（又は、試料）内にさらなる焦点を有していてもよい。この構成は、集束レンズが、散乱体積を焦点可変レンズに映し出すことを意味する。
【００２２】
装置は、焦点可変レンズの焦点距離を変更することにより、試料内の散乱体積の位置が光源に接近することが、散乱体積の減少をもたらすように構成されてもよい。焦点可変レンズの焦点距離を変更することにより、試料内の散乱体積の位置が光源から離れることが、散乱体積の増加をもたらしてもよい。
【００２３】
検出領域の体積の調整は、粒子特性評価方法の測定パラメータの優れた最適化をもたらし得る。これにより、高及び／又は低粒子濃度の試料の信号対雑音比を改善することができる。混濁試料に関しては、検出領域は試料セル壁に近接して配置されてもよく、小さな検出領域が用いられる。粒子濃度が低い試料に関しては、検出領域は、試料セル壁から離れて配置されてもよく、比較的大きな検出領域が用いられる。検出領域の位置及び体積の両方の調整は、測定パラメータの改善された最適化を容易にし、確実に特性評価され得る最低及び／又は最高粒子濃度の大幅な改善を可能にする。
【００２４】
検出光路及び照射光路は、試料セル内で集束されてもよく、又は、試料セル内でコリメートされてもよく、又は、これらの状態の間（例えば、収束していく照射及び検出路を試料セル内に有するが、試料セル内では集束しない）であってもよい。
【００２５】
照射光路を試料セルに向けるために、照射ミラーが焦点可変レンズと試料との間に設けられてもよく、照射光路が、焦点可変レンズを通過しないように構成されてもよい。照射ミラーは、照射光路を、焦点可変レンズの軸に沿って試料に向けてもよい。より多くの光学部品が、互いに角度をなすのではなく、共通の軸上に配列されるため、この構成は、光学アライメントをより容易にし得る。
【００２６】
装置は、検出光路からの散乱光と重ね合わせるために、照射光ビームの一部を検出器に向けるように構成されるビームスプリッタをさらに備えてもよい。このことは、検出器における光ヘテロダイン検出を可能にする。
【００２７】
ビームスプリッタは、好適には、照射光路と検出光路との交点に配置されてもよい。
装置は、（照射及び／又は検出光路の空間光変調による）変調光ヘテロダイン検出を容易にするために、照射光路及び／又は検出光路において少なくとも１つの光学素子を移動／振動させるためのアクチュエータをさらに備えてもよい。
【００２８】
装置は、ゼータ電位測定を実行するように構成されてもよい。
検出光路は、平面反射器を備えていてもよく、アクチュエータは、検出光路を空間的に変調するために、平面反射器を、反射器の平面に対して実質的に直交する方向に移動させるように構成されてもよい。
【００２９】
焦点可変レンズは、試料の屈折率、試料が中で保持される試料セルの向き、試料セルの屈折率、及び、試料セルの形状、のうちの少なくとも１つを補償するように動作可能としてもよい。
【００３０】
焦点可変レンズは、並進ステージ上に取り付けられてもよい。
焦点可変レンズは、変形可能なレンズを備えていてもよい。焦点可変レンズは、刺激を与えることにより屈折率が変化し得る材料を含んでいてもよい。焦点可変レンズは、２つ以上のレンズ素子のうちの少なくとも１つが可動である２つ以上のレンズ素子を有する光学サブアセンブリを備えていてもよい。
【００３１】
焦点可変レンズは、前方散乱光、後方散乱光、及び、側方散乱光のうちの少なくとも１つを集光するように構成されてもよい。
前方散乱光とは、散乱体積における、光ビームの伝播方向の成分を有する伝播方向の散乱光として定義されてもよい。後方散乱光とは、散乱体積における、光ビームの伝播方向とは反対の方向に成分を有する伝播方向の散乱光として定義されてもよい。側方散乱光とは、光ビームの伝播方向に対して実質的に直交する方向に伝播する散乱光として定義されてもよい。
【００３２】
焦点可変レンズは集束レンズに入射する光ビーム幅を変化させるように構成されてもよい。
「可動レンズ」という語は、（例えば、リードスクリューの回転により）レンズを制御可能に再配置するための並進構成（又はステージ）上に取り付けられるレンズを指してもよい。
【００３３】
集束レンズは、試料内に検出光路を集束させてもよい。
照射及び／又は検出光路は、光ファイバを備えていてもよい。
光ファイバは、単一モードファイバを備えていてもよい。
【００３４】
装置は、検出光路と光ファイバとを結合するように構成される結合レンズをさらに備えてもよい。
結合レンズは、屈折率分布型レンズを備えていてもよい。
【００３５】
装置は、検出器からの出力を用いて動的光散乱測定を実行するように動作可能としてもよい。
装置は、動的光散乱測定を実行するための処理装置を備えていてもよい。動的光散乱法を実行することは、検出器から取得される時系列散乱強度データについて相関演算を実行すること、及び、その後、平均粒径（Ｚａｖｅｒａｇｅ）、多分散指数（ｐｄｉ）、及び、粒径分布のうちの少なくとも１つを特定するために、相関演算の結果として得られたコレログラムを処理すること、を含んでもよい。コレログラムを処理することは、公知のキュムラント法を用いることを含んでもよく、あるいは、ＣＯＮＴＩＮのようないくつかの他の方法もしくは非負制約付き最小二乗法を含んでもよい。
【００３６】
第２態様によれば、光ビームで試料を照射するための光源と、光ビームと試料との相互作用により生じる散乱光を検出するように構成される検出器と、散乱光を散乱体積から検出器へ集光するように、かつ／あるいは、光ビームを試料に向けるように構成される焦点可変レンズと、照射路及び検出路のうちの少なくとも１つを試料に向けるように構成される集束反射器と、を備える粒子特性評価装置が提供される。
【００３７】
装置は、焦点可変レンズの焦点距離を変化させることが、散乱体積の位置及び／又はサイズを変更することなく、試料内の照射及び検出光路の交角を変更するように構成されてもよい。
【００３８】
集束反射器は、照射光路及び検出光路を試料に向けるように構成されてもよい。
集束レンズが、焦点可変レンズと試料との間に（例えば、照射及び／又は検出光路に沿って）設けられてもよい。集束レンズは、少なくとも１つの固定焦点距離レンズを備えていてもよい。
【００３９】
集束レンズは、焦点可変レンズの主面上に焦点を有していてもよい。
散乱角は、レンズ又はレンズ素子を並進させることなく調整可能としてもよく、このことは、装置の信頼性をより向上させ得る、かつ／あるいは、散乱角の高速調整を可能にし得る。
【００４０】
装置は、（例えば、試料セル内に）試料を受容するために、試料セル及び／又は試料セルホルダを備えていてもよい。
装置は、散乱光を検出器に到達させるための検出光路、及び、光ビームを光源から試料に到達させるための照射光路を備えていてもよい。検出光路及び照射光路は、共に焦点可変レンズを通過してもよい。いくつかの実施形態においては、検出光路のみ、又は、検出光路のみが、焦点可変レンズを通過してもよい。
【００４１】
焦点可変レンズは、光軸を有していてもよい。（例えば、焦点可変レンズの検出器側の）検出光路は、光軸に対して（非ゼロの）第１角度をなしていてもよい。（例えば、焦点可変レンズの光源側の）照射光路は、光軸に対して（非ゼロの）第２角度をなしていてもよい。第１角度及び第２角度は、実質的に等しくてもよい。
【００４２】
第１角度及び／又は第２角度は、５度から１５度の間であってもよく、かつ／あるいは、１０度以下、又は、５度以下であってもよい。散乱体積における検出及び照射光路の間の角度は、１０度以下であってもよい。
【００４３】
照射及び検出光路は、共通平面上に位置していてもよい（あるいは、共通平面上になくてもよい）。共通平面は、水平又は垂直でもよい（液体が開口を通って落ちないように、試料セルの開口は装置内で上方に向いていてもよい）。
【００４４】
検出光路及び照射光路は、焦点可変レンズから離れた第１位置にて交差してもよい。第１位置は、焦点可変レンズの光軸上にあってもよい。焦点可変レンズは、焦点可変レンズの焦点を第１位置と同一位置に配置する焦点距離を有するように動作可能であってもよい。
【００４５】
焦点可変レンズは、焦点が第１位置と同一位置に配置される場合に、屈折作用がない状態であってもよい（又は、焦点距離の動作範囲の中心にあってもよい）。このことは、焦点可変レンズが、静止又は中心動作点で、又は、静止又は中心動作点の近傍で、より安定性又は線形性を有し得るため、有利となり得る。
【００４６】
光源と焦点可変レンズとの間の照射光路上に、光源結合レンズが配置されてもよい。検出器と焦点可変レンズとの間の検出光路上には、検出器結合レンズが配置されてもよい。光源結合レンズは、照射光路を焦点可変レンズの主面上に集束させるように構成されてもよい。検出器結合レンズは、検出光路を焦点可変レンズの主面（例えば、同一の主面）上に集束させるように構成されてもよい。
【００４７】
集束レンズは、焦点可変レンズと試料との間に（例えば、照射及び／又は検出光路に沿って）設けられてもよい。集束レンズは、少なくとも１つの固定焦点距離レンズを備えていてもよい。
【００４８】
集束レンズは、焦点可変レンズの主面上に焦点を有していてもよい。集束レンズは、試料セル（又は試料）内にさらなる焦点を有していてもよい。この構成は、集束レンズが散乱体積を焦点可変レンズに映し出すことを意味する。
【００４９】
装置は、焦点可変レンズを調整することによる散乱角の減少が散乱体積の減少をもたらすように構成されてもよい。焦点可変レンズを調整することによる散乱角の増加が、散乱体積の増加をもたらしてもよい。
【００５０】
検出光路及び照射光路は、試料セル内で集束されてもよく、あるいは、試料セル内でコリメートされてもよく、あるいは、これらの状態の間（例えば、収束していく照射及び検出路を試料セル内に有するが、試料セル内では集束しない）であってもよい。
【００５１】
照射光路を試料セルに向けるために、照射ミラーが焦点可変レンズと試料との間に設けられてもよく、照射光路が焦点可変レンズを通過しないように構成されてもよい。照射ミラーは、焦点可変レンズの軸に沿って、照射光路を試料に向けてもよい。この構成は、より多くの光学部品が、互いに角度をなすのではなく、共通の軸上に配列されるため、光学アライメントをより容易にし得る。
【００５２】
装置は、検出光路からの散乱光と重ね合わせるために、照射光ビームの一部を検出器に向けるように構成されるビームスプリッタをさらに備えてもよい。このことは、検出器における光ヘテロダイン検出を可能にする。
【００５３】
ビームスプリッタは、好適には、照射光路と検出光路との交点に配置されてもよい。
装置は、（照射及び／又は検出光路の空間光変調による）変調光ヘテロダイン検出を容易にするために、照射光路及び／又は検出光路において少なくとも１つの光学素子を移動／振動させるためのアクチュエータをさらに備えてもよい。
【００５４】
装置は、ゼータ電位測定を実行するように構成されてもよい。
検出光路は、平面反射器を備えていてもよく、アクチュエータは、検出光路を空間的に変調するために、平面反射器を反射器の平面に対して実質的に直交する方向に移動させるように構成されてもよい。
【００５５】
焦点可変レンズは、並進ステージ上に取り付けられてもよい。
焦点可変レンズは、変形可能なレンズを備えていてもよい。焦点可変レンズは、刺激を与えることにより屈折率が変化し得る材料を含んでいてもよい。焦点可変レンズは、２つ以上のレンズ素子のうちの少なくとも１つが可動である２つ以上のレンズ素子を有する光学サブアセンブリを備えていてもよい。
【００５６】
焦点可変レンズは、前方散乱光、後方散乱光、及び、側方散乱光のうちの少なくとも１つを集光するように構成されてもよい。
焦点可変レンズは、集束反射器上に入射する光ビーム位置（及び／又は光ビーム幅）を変化させるように構成されてもよい。
【００５７】
集束反射器は、検出光路を試料内に集束させてもよい。
照射及び／又は検出光路は、光ファイバを備えていてもよい。光ファイバは、単一モードファイバを備えていてもよい。装置は、検出光路と光ファイバとを結合するように構成される結合レンズをさらに備えてもよい。結合レンズは、屈折率分布型レンズを備えていてもよい。
【００５８】
装置は、検出器からの出力を用いて、動的光散乱測定を実行するように動作可能としてもよい。装置は、検出器からの出力を用いて、静的光散乱測定を実行するように構成されてもよい。
【００５９】
装置は、焦点可変レンズを制御することにより、様々な散乱角にて一連の測定を実行し、その後、該一連の測定に関する検出器からの出力から静的光散乱測定を行うように構成される処理装置を備えていてもよい。処理装置は、様々な散乱角における散乱強度パターンを、粒径又は粒径分布と関連付けるために、レイリー又はミー散乱理論を用いるように構成されてもよい。
【００６０】
装置は、動的光散乱測定を実行するための処理装置を備えていてもよい。動的光散乱法を実行することは、検出器から取得される時系列散乱強度データについて相関演算を実行すること、及び、その後、平均粒径（Ｚａｖｅｒａｇｅ）、多分散指数（ｐｄｉ）、及び、粒径分布のうちの少なくとも１つを特定するために、相関演算の結果として得られたコレログラムを処理すること、を含んでもよい。コレログラムを処理することは、周知のキュムラント法を用いることを含んでもよく、あるいは、ＣＯＮＴＩＮのようないくつかの他の方法又は非負制約付き最小二乗法を含んでもよい。
【００６１】
本発明の第３態様によれば、光ビームで試料を照射するための光源と、光ビームと試料との相互作用により生じる散乱光を検出するように構成される検出器と、散乱光を散乱体積から検出器へ集光するように、かつ／あるいは、光ビームを試料に向けるように構成される焦点可変レンズと、対向する一対の電極を備える試料ホルダであって、試料の平面が電極面と直交して配列され、平面が散乱体積に近接するように、試料を、一対の電極間の測定体積内の適切な位置に保持するように構成される、試料ホルダと、を備える粒子特性評価装置であって、焦点可変レンズの調整が、（例えば、平面が動かないままである一方で）散乱体積を移動させることにより平面と散乱体積との相対位置の調整をもたらす、粒子特性評価装置が提供される。
【００６２】
調整は、光源を並進させることなく、かつ／あるいは、照射又は検出光路内の全ての光学素子を並進させることなく行われるようにしてもよい。
集束レンズは、焦点可変レンズと試料との間に（例えば、照射及び／又は検出光路に沿って）設けられてもよい。集束レンズは、少なくとも１つの固定焦点距離レンズを備えていてもよい。
【００６３】
集束レンズは、焦点可変レンズの主面上に焦点を有していてもよい。この構成は、散乱体積の位置が調整されるときに一定の散乱角を実現するための的確な方法である。
集束レンズは、試料セル（又は試料）内に、さらなる焦点を有していてもよい。この構成は、集束レンズが、焦点可変レンズに散乱体積を映し出すことを意味する。
【００６４】
焦点可変レンズは、光ビームを試料に向けるように構成される照射焦点可変レンズを備えていてもよい。検出器へ散乱光を集光するために、検出焦点可変レンズが設けられてもよい。装置は、照射及び集光焦点可変レンズを直列に調整するように構成されてもよい。
【００６５】
散乱体積の位置は、レンズ又はレンズ素子を並進させることなく調整可能としてもよく、このことは、装置の信頼性をより向上し得る、かつ／あるいは、照射及び／又は検出光路のより高速な調整を可能にし得る。
【００６６】
装置は、散乱光を検出器に到達させるための検出光路、及び、光ビームを光源から試料に到達させるための照射光路を備えていてもよい。
焦点可変レンズは、光軸を有していてもよい。（検出焦点可変レンズの、試料とは反対側において）検出光路は、光軸に対して（非ゼロの）第１角度をなしていてもよい。照射光路は、（照射焦点可変レンズの、試料とは反対側において）光軸に対して（非ゼロの）第２角度をなしていてもよい。第１角度及び第２角度は、実質的に等しくてもよい。
【００６７】
第１角度及び／又は第２角度は、５度から１５度の間であってもよく、かつ／あるいは、１０度以下、又は、５度以下であってもよい。散乱体積における検出及び照射光路の間の角度は、１０度以下であってもよい。
【００６８】
試料内の検出及び照射光路は、焦点可変レンズが調整されるときに、共に平面に対して実質的に平行のままであってもよい。
照射及び検出光路は、異なる平面上に位置していてもよい。照射及び検出光路の異なる平面の間の角度が、散乱角を規定してもよい。
【００６９】
光源結合レンズは、光源と焦点可変レンズとの間の照射光路上に配置されてもよい。検出器結合レンズは、検出器と焦点可変レンズとの間の検出光路上に配置されてもよい。光源結合レンズは、照射光路を焦点可変レンズの主面上に集束させるように構成されてもよい。検出器結合レンズは、検出光路を焦点可変レンズの主面（例えば、同一の主面）上に集束させるように構成されてもよい。
【００７０】
集束レンズは、焦点可変レンズと試料との間に（例えば、照射及び／又は検出光路に沿って）設けられてもよい。集束レンズは、少なくとも１つの固定焦点距離レンズを備えていてもよい。
【００７１】
集束レンズは、焦点可変レンズの主面上に焦点を有していてもよい。集束レンズは、試料セル（又は試料）内にさらなる焦点を有してもよい。この構成は、集束レンズが焦点可変レンズに散乱体積を映し出すことを意味する。
【００７２】
装置は、焦点可変レンズの焦点距離を変更することにより試料内の散乱体積の位置を平面に接近させることが、散乱体積の増加をもたらすように構成されてもよい。焦点可変レンズの焦点距離を変更することにより、試料内の散乱体積の位置を平面から離れさせることが、散乱体積の減少をもたらしてもよい。いくつかの実施形態において、散乱体積を平面から離れさせることは、散乱体積の増加をもたらしてもよい（そして、散乱体積を平面に接近させることは、散乱体積の減少をもたらしてもよい）。
【００７３】
検出領域の体積の調整は、粒子特性評価方法の測定パラメータの優れた最適化をもたらし得る。
検出光路及び照射光路は、試料セル内で集束されてもよく、又は、試料セル内でコリメートされてもよく、又は、これらの状態の間（例えば、収束していく照射及び検出路を試料セル内に有するが、試料セル内では集束しない）であってもよい。
【００７４】
装置は、検出光路からの散乱光と重ね合わせるために、照射光ビームの一部を検出器に向けるように構成されるビームスプリッタをさらに備えてもよい。このことは、検出器における光ヘテロダイン検出を可能にする。
【００７５】
装置は、（照射及び／又は検出光路の空間光変調による）変調光ヘテロダイン検出を容易にするために、照射光路及び／又は検出光路において少なくとも１つの光学素子を移動／振動させるためのアクチュエータをさらに備えてもよい。
【００７６】
装置は、ゼータ電位測定を実行するように構成されてもよい。
検出光路は、平面反射器を備えていてもよく、アクチュエータは、検出光路を空間的に変調するために、平面反射器を検出器の平面に対して実質的に直交する方向に移動させるように構成されてもよい。
【００７７】
焦点可変レンズは、試料の屈折率、試料が中で保持される試料セルの向き、試料セルの屈折率、及び、試料セルの形状、のうちの少なくとも１つを補償するように動作可能としてもよい。
【００７８】
焦点可変レンズは、並進ステージ上に取り付けられてもよい。
焦点可変レンズは、変形可能なレンズを備えていてもよい。焦点可変レンズは、刺激を与えることにより屈折率が変化し得る材料を含んでいてもよい。焦点可変レンズは、２つ以上のレンズ素子のうちの少なくとも１つが可動である２つ以上のレンズ素子を有する光学サブアセンブリを備えていてもよい。
【００７９】
焦点可変レンズは、前方散乱光、後方散乱光、及び、側方散乱光のうちの少なくとも１つを集光するように構成されてもよい。
焦点可変レンズは、集束レンズに入射する光ビーム幅を変化させるように構成されてもよい。
【００８０】
集束レンズは、検出光路を試料内で集束させてもよい。
照射及び／又は検出光路は、光ファイバを備えていてもよい。光ファイバは、単一モードファイバを備えていてもよい。装置は、検出光路と光ファイバとを結合するように構成される結合レンズをさらに備えてもよい。結合レンズは、屈折率分布型レンズを備えていてもよい。
【００８１】
装置は、検出器からの出力を用いて動的光散乱測定を実行するように動作可能であってもよい。
装置は、動的光散乱測定を実行するための処理装置を備えていてもよい。動的光散乱法を実行することは、検出器から取得される時系列散乱強度データについて相関演算を実行すること、及び、その後、平均粒径（Ｚａｖｅｒａｇｅ）、多分散指数（ｐｄｉ）、及び、粒径分布のうちの少なくとも１つを特定するために、相関演算の結果として得られたコレログラムを処理すること、を含んでもよい。コレログラムを処理することは、周知のキュムラント法を用いることを含んでもよく、又は、ＣＯＮＴＩＮのようないくつかの他の方法又は非負制約付き最小二乗法を含んでもよい。
【００８２】
第４態様によれば、動的又は静的光散乱測定を実行する方法であって、試料を光ビームで照射するステップであって、それにより、光ビームと試料との相互作用により散乱光を発生させる、照射するステップと、試料内の検出領域において光ビームと交差する検出光路に沿った散乱光を検出するステップであって、それによりデータを取得する、検出するステップと、照射及び検出光路のうちの少なくとも１つにある焦点可変レンズの焦点距離を変更することにより、検出領域の位置、検出領域の体積、又は、検出領域における照射及び検出光路の間の角度のうちの少なくとも１つを調整するステップと、焦点可変レンズの焦点距離を変更することにより、少なくとも１つの対応する調整ステップを実行した後に、散乱光を検出するステップを少なくとも１回繰り返すステップと、焦点可変レンズの少なくとも１つの焦点距離から取得したデータを用いて、静的又は動的光散乱測定を実行するステップと、を含む方法が提供される。
【００８３】
当該方法は、各調整するステップが検出領域の少なくとも位置を変更し、かつ、各調整するステップが、先行する調整するステップに対応する測定データに応答したものである、動的光散乱測定を実行することを含んでもよい。この手法は、最適位置が試料セル壁の近傍であり得る混濁試料に関する、及び、最適位置が試料セルの中心の近傍であり得る低濃度試料に関する、動的光散乱測定のための最適な測定位置を特定するために用いられてもよい。測定データの平均計数率は、適切な測定位置を特定するための１つの方法である。測定データから生成されるコレログラムの切片が、適切な測定位置を特定するために、代替として、又は、追加的に用いられてもよい。
【００８４】
当該方法は、焦点可変レンズの焦点距離を調整して、複数の散乱角から測定データを取得することにより、動的又は静的光散乱測定を実行することを含んでもよい。マルチアングル静的光散乱測定及び動的光散乱測定は、粒子特性評価の分野で周知であるが、これらは、通常は、光学部品（例えば光源）を物理的に並進させることにより、又は、異なる角度に配置される複数の検出器を用いることによりなされる。様々な測定角度を選択するために焦点可変レンズを用いることは、調整時間を短縮することを可能にし、（例えば、並進ステージ及び／又は異なる角度に配置される複数の検出器を避けることにより）コストを削減し、構造を簡素化し得る。
【００８５】
当該方法は、試料セル内の粒子の推定濃度を提供することをさらに含んでもよい。
推定濃度は、濃度の定性的な指標を含んでもよい。
当該方法は、試料内の粒子濃度を測定することをさらに含んでもよい。
【００８６】
任意の態様による装置は、（例えば、試料セルの）壁から様々な距離で複数回の動的光散乱測定を実行するように構成されてもよい。処理装置は、壁の近傍で妨げられる散乱効果を特徴付けるために用いられてもよい。
【００８７】
任意の態様の特徴は、任意の他の態様の特徴と組み合わされてもよい。任意の態様又は実施形態の方法は、第１又は第２態様の装置を用いて、それらの特徴に従って実行されてもよい。任意の態様による装置は、第４態様の方法を、その選択的な特徴の任意のものを含み、実行するように構成されてもよい。
【００８８】
焦点可変レンズを備える任意の態様は、代替として、可動レンズ構成を用いて実施されてもよい。例えば、第４態様で述べた焦点可変レンズは、第２態様に関連して説明されたものと同様の可動レンズ（つまり、レンズ及び並進ステージ）に置き換えられてもよい。
【００８９】
本発明の実施形態を、添付の図面を参照して説明する。
【図面の簡単な説明】
【００９０】
【図１】第１位置に検出領域を有する従来技術のＮＩＢＳ構成の概略図である。
【図２】第２位置に検出領域を有する従来技術のＮＩＢＳ構成の概略図である。
【図３】焦点可変レンズを用いる前方散乱検出構成の概略図である。
【図４】並進ステージ上の焦点可変レンズを用いる前方散乱検出構成の概略図である。
【図５】焦点可変レンズを用いる後方散乱検出構成の概略図である。
【図６】第１態様による、対称な検出及び照射光路が使用される、焦点可変レンズを用いる後方散乱検出の実施形態の概略図である。
【図７】第１態様による、対称な検出及び照射光路が使用される、焦点可変レンズを用いる後方散乱検出の実施形態の概略図である。
【図８】焦点可変レンズを用いる第１態様の後方散乱検出の実施形態の概略図であり、非対称の検出及び照射光路が、第１及び第２焦点可変レンズ素子と共に用いられる。
【図９】焦点可変レンズを用いる第１態様の後方散乱検出の実施形態の概略図であり、非対称の検出及び照射光路が用いられ、可動検出器が用いられる。
【図１０】焦点可変レンズを用いる第１態様の後方散乱検出の実施形態の概略図であり、非対称の検出及び照射光路が用いられ、複数の検出器ファイバが用いられる。
【図１１】焦点可変レンズを用いる第１態様の後方散乱検出の実施形態の概略図であり、対称の検出及び後方散乱光路が用いられ、照射及び検出ビームは試料内でコリメートされる。
【図１２】焦点可変レンズを用いる後方散乱検出の実施形態の概略図であり、対称な検出及び後方散乱光路が用いられ、照射及び検出ビームは試料内で集束される。
【図１３】照射光路が検出光路と対称でない、後方散乱検出の実施形態の概略図である。
【図１４】可変焦点距離レンズを用いる側方散乱検出の実施形態の概略図である。
【図１５】照射及び検出光路を試料担持体に向けるための曲面反射器（例えば、ミラー）を用いる、第２態様の後方散乱検出の実施形態の概略図である。
【図１６】第２態様のヘテロダイン後方散乱検出の実施形態の概略図であり、曲面ミラーが、照射及び検出光路を試料担持体に向け、ビームスプリッタが、照射光ビームの一部をセンサに向けるために用いられる。
【図１７】第２態様の別のヘテロダイン後方散乱検出の実施形態の概略図であり、平面ミラーが検出光路を試料に向け、曲面ミラーが照射光路を試料に向ける。
【図１８】第２態様のさらに別のヘテロダイン後方散乱検出の実施形態の概略図であり、平面ミラーが検出光路を試料に向け、曲面ミラーが照射光路を試料に向ける。
【図１９】第１態様による、前方散乱検出におけるセル深さ補償を示す概略図である。
【図２０】第３態様の前方散乱検出構成における垂直方向のアライメント調整を示す概略図である。
【図２１】欧州特許出願公開第２７２１３９９号明細書からの従来技術の検出構成である。
【図２２】一実施形態による、試料内に懸濁された粒子の特性評価方法の概略フローチャートである。
【発明を実施するための形態】
【００９１】
図１及び図２を参照すると、従来技術のＮＩＢＳ構成１００が示されており、照射ビーム１０６は、集束レンズ１３０により、試料セル１１０内の試料１５０に集束される。
検出光路１０８は、試料１５０内に分散された粒子により照射ビーム１０６から散乱された光を受け取る。検出光路１０８は、散乱光を検出するための検出器の視野（図示なし）を規定する。検出光路１０８は、検出軸１０９に沿って、特定の散乱角１０３上に中心をおく狭い範囲の角度で散乱される光を受け取ってもよい。検出光路１０８もまた、集束レンズ１３０により試料１５０内で集束される。
【００９２】
照射ビーム１０６と検出光路１０８との交点は、検出領域１２０を規定する。試料セル１１０内の検出領域１２０の位置は、試料セル１１０内で集束レンズ１３０の焦点面１１２の位置を変化させることになる集束レンズ１３０の移動によって変化させることができる。集束レンズが試料セルに接近するにつれて、検出体積は同じ方向に移動し、検出領域１２０と、光ビーム１０６が試料１５０を照射するために通過するセル壁との間の距離１０２を増加させる。図１において、検出体積１２０は、図２の場合よりも試料セル１１０の壁により近接した位置にある。
【００９３】
上述したように、本構成は、検出領域１２０の位置の調整をもたらすが、検出領域１２０の体積の調整はできない。
国際公開第ＷＯ２０１６／０３４９９０２号は、集束レンズに入射する照射光ビームの幅を変化させるためにビーム拡大器を備える構成を開示している。集束レンズに入射する拡大されたビーム直径は、試料内の焦点面において焦点のより狭いビームウエストをもたらす。逆に、集束レンズに入射するより小さなビーム直径は、試料内の焦点面において焦点のより広いビームウエストをもたらす。焦点のより狭いビームウエストは、より小さな検出領域と等しいと考えられ、より広いビームウエストは、より大きな検出領域と等しいと考えられる。
【００９４】
狭いビームウエストは、粒子が高濃度で含まれる混濁試料の特性評価に特に適している。より小さな体積の検出領域は、試料セルの壁により近接して配置されてもよく、このことは、多重散乱の可能性を低減し、装置により確実に特性評価され得る最大粒子濃度の上昇を直接的にもたらす。粒子が低濃度で含まれる試料については、検出領域のサイズは、可動レンズを固定レンズからさらに遠くに移動させて集束レンズにおけるビーム幅を拡大することにより、拡大されてもよい。
【００９５】
図３は、（変形可能なレンズであってもよい）焦点可変レンズ１２５を備える検出構成４００を示す。照射ビーム光路１０６は（試料セル１１０内の）試料１５０に入射し、試料１５０から光が散乱される。試料１５０を通過した後、照射ビームは、ビームダンプ１３１にて捕捉される。散乱光は、図３の例では前方散乱で検出される。検出光路１０８は、試料１５０内の検出領域の位置を調整するように動作可能な焦点可変レンズ１２５を通過する。固定結合レンズ１２６（例えば、ＧＲＩＮレンズ）が、散乱光を検出素子（例えば、フォトダイオード）に送る光ファイバ（図示せず）に検出光路１０８を結合するために設けられてもよい。
【００９６】
図４は、図３の実施形態の全ての特徴を備える別の検出構成４００を示しており、焦点可変レンズ１２５が、並進アセンブリ上に取り付けられ、その結果、試料セル１１０と焦点可変レンズ１２５との間の距離を変化させるように検出光路１０８に沿って焦点可変レンズ１２５が移動され得る点が異なる。
【００９７】
図５は、照射光路１０６及び検出光路１０８の両方が、焦点可変レンズ１２５を通過する実施形態を示す。照射光路１０６は、焦点可変レンズ１２５の光軸と実質的に一致する。検出光路１０８は、照射光路１０６に対してある角度をなして焦点可変レンズ１２５を通過する後方散乱検出路である。ここでも、焦点可変レンズ１２５の焦点距離の調整は、試料内の検出領域の位置の変化（例えば、位置１と位置２との間の変化）をもたらす。検出領域の体積もまた、検出光路１０８の有効散乱角の変化の結果として、検出領域の位置の調整と共に変化し得る。
【００９８】
例えば様々なセル及び試料の種類、濃度といった広範な測定の種類を提供しようとする装置について、散乱体積と照射光ビームとが交差する重なり形状、及び、試料内の散乱体積の位置を変化させることが可能であることは有利であろう。
【００９９】
現在のところ、前方散乱光の集光は、試料によって異なる屈折率ならびに異なる試料セル材料及び形状に伴って生じる交差位置の違いに対する補償が必要となり得る。このような因子を、付属ホイール内の厚さの異なる複数の個々のオプティカルフラットを介して補償することが知られている。これは、限られた数の条件が補償可能であることを意味し、オプティカルフラットの公差、及び、オプティカルフラットの組み付けのばらつきにより、補償にある程度のばらつきが生じる。現在の構成は、集光系の光学素子を移動し得る並進ステージも必要とする場合がある。現状では、これらの部品は嵩張り、このことは、セル領域周辺に追加機能を入れ込むことをますます困難にする。一方、焦点可変レンズを用いる方法は、比較的小型の単一の要素を含み得る、より的確な方法を可能にする。
【０１００】
焦点可変レンズ１２５は、前方散乱光に対するセル補償を実行するように、かつ、（例えば、非接触後方散乱光検出装置において）後方散乱光を集光するように構成されてもよい。（例えば、照射光に対して９０度の角度で散乱される光などの別の散乱角の調整などの）他の例もまた想定される。
【０１０１】
図３〜５において、交点「１」は、散乱体積を試料セル１１０（試料セルは標準１０ｍｍ又は１２ｍｍの試料セルとしてもよい）の中心に配置するように調整した焦点可変レンズの状態を示す。
【０１０２】
焦点可変レンズ１２５は、異なるセル構成（例えば、より小さいセル）を補正するために、あるいは、散乱領域を試料セル１１０の中心のより近傍に（又は中心に）配置するために、変形されてもよい。この変形構成は、焦点可変レンズ１２５による集束力を変更することにより、散乱体積の位置を交点「２」に調整する。いくつかの実施形態において、焦点可変レンズ１２５は、焦点を調整するために変形されなくてもよいが、その代わりにレンズ材料の屈折率が変更されてもよい。
【０１０３】
実施形態の他の利点は、以下を含み得る。
・スタンドオフの可能な限りの短縮、及び、より「線形の」光学構成を可能にすること。照射ビーム１０６を効果的に取り除くことができる場合、照射軸により近い位置（減少した散乱角）での検出が可能となり得る。
・また、調整に関してそれほど気にすることなく様々なセルの向き（例えば９０度で再現されるが、傾けられたセル構成）に関する可能性を開くために、様々な屈折率が連続的に調整され得る。
・焦点可変レンズ１２５及びセル１１０の特性評価は、屈折率が、焦点可変レンズを制御するために与えられる駆動電流に基づいて逆算することができることを意味し得る。
・（前方及び後方散乱において共通部品を利用する）対称的な構成は有利となり得る。焦点可変レンズ１２５は広い焦点範囲を有していてもよく、一般的なタイプの焦点可変レンズを前方及び後方散乱光の集光に使用することができる。
・システムのある程度の「自動アライメント」が可能にされ得る。
【０１０４】
焦点可変レンズ１２５は、その最小有効スタンドオフ範囲に近い距離分だけ、試料セル１１０から離れて配置されてもよい。焦点可変レンズ１２５から試料セル１１０までの距離は、４０ｍｍ未満、３０ｍｍ未満、２０ｍｍ未満、又は、１０ｍｍ未満としてもよい。このことは、光学構成の小型化を可能にする上で、いくつかの利点を有する。
【０１０５】
焦点可変レンズ１２５は、（図４に例示されているように）並進アセンブリ上に設けられてもよい。並進アセンブリ上に焦点可変レンズ１２５を設けることは、特定の測定要求に従い、交差体積が調整されることを可能にする。例えば、一部の測定（例えば、粒子が高濃度で含まれる試料の特性評価に用いられ得る小型セルにおける測定）では、より高速の光学系（より狭い焦点及びコリメート範囲）を有することが役に立ち、一方、他の測定（例えば低濃度における測定）では、より小さな角度において、より大きな、より広い交点を有することが役立つ可能性がある。
【０１０６】
いくつかの焦点可変レンズは、像にかなりの「コマ収差」が生じる。出願人は、このような像の「コマ収差」が、現在用いられる固体シングレットレンズ構成と比較して、実質的にビームの質に影響を与えないであろうことを見出した。いくつかの実施形態においては、レンズからの軸外光線に生じ得る、後方伝播集光モードにおける劣化の初期評価もまた期待されている。
【０１０７】
焦点可変レンズ１２５は、並進ステージ上に取り付けられたくさび型の光学素子と共に用いられてもよい。くさび型光学素子は、焦点可変レンズ１２５と同一の（例えば、検出及び／又は照射）光路上にあってもよい。調整可能なくさび型構成が、散乱角に影響を与えることなく散乱体積の並進の連続的範囲をもたらすために用いられてもよい。
【０１０８】
一部の焦点可変レンズにおける広範囲にわたる焦点移動は、将来を保証する設計にとって有利である。
好適な焦点可変レンズの例は、http://www.optotune.com/publications-2において見ることができる。
【０１０９】
様々な代替の光学構成が想定され、これらの実施形態は単に例示的なものである。変形可能なレンズは、並進レンズが用いられる従来の公知の構成と比較して、さらなる自由度をもたらし得る。焦点可変レンズは、測定交差形状及び位置の範囲の提供を改善する。測定交差形状及び位置は、単一の駆動制御下で制御されてもよく、また、ソフトウェアを介してユーザにより制御されてもよい。
【０１１０】
図６及び７は、粒子特性評価のための装置を示し、光源３０２、検出器３０６、焦点可変レンズ１２５、集束レンズ１３０、及び、試料セル１１０を備える。
光源３０２は、照射光路１０６に沿って、試料セル１１０の内部を光ビームで照射するように構成される。試料中の粒子は、照射光ビームを散乱させ、散乱光を生じさせる。検出器３０６は、検出路１０８に沿ってこの散乱光を受光するように構成される。
【０１１１】
試料セル１１０は、試料（水又は空気などの希釈媒体中に懸濁された粒子を含み得る）を収容するためのものである。光源３０２は、レーザ源に光学的に結合される光ファイバを備えていてもよい。照射結合レンズ（図７に示される）が、光源３０２から（例えば、ファイバから）の光を、照射光路１０６上の点Ｂに集束するために設けられてもよい。検出器３０６は、検出素子に結合される光ファイバを備えていてもよい。検出結合レンズ（図７に示される）が、検出光路１０６上の焦点Ａから（例えば、検出ファイバに結合する）検出器３０６上に光を集光するために設けられてもよい。
【０１１２】
検出光路１０６及び照射光路１０８は、共に、焦点可変レンズ１２５の光軸に対して角度をなして焦点可変レンズ１２５に入射する。検出及び照射光路１０６，１０８のそれぞれは、光軸に対して同一の角度αをなしていてもよい。いくつかの実施形態において、焦点可変レンズ１２５の光軸、検出光路１０８、及び、照射光路１０６は、全て同一平面上にあってもよいが、このことは（好都合ではあるかもしれないが）必須ではない。該平面は、垂直又は水平であってもよい。検出光路１０８及び照射光路１０６は、それぞれ焦点可変レンズの後側焦点距離（ｆ１−ｃｅｎｔｒｅ）にて焦点可変レンズ１２５の光軸と交差してもよい。
【０１１３】
集束レンズ１３０は、固定焦点距離レンズであってもよく、照射及び検出光路１０６，１０８を、試料セル１１０内の検出領域上に集束するように構成される。焦点可変レンズ１２５及び集束レンズ１３０の光軸は、一致していてもよい。
【０１１４】
焦点可変レンズ１２５の焦点距離を変化させることは、照射光路１０６及び検出光路１０８が集束レンズ１３０に入射する位置を変化させる。焦点可変レンズ１２５は、集束レンズ１３０の後焦点面上に配置されてもよく、これは、集束レンズ１３０の光軸に沿った位置は異なるけれども、焦点可変レンズ１２５の焦点距離にかかわらず同一の検出角Θを満たす照射及び検出路１０６，１０８をもたらす。これは、焦点可変レンズ１２５の焦点距離の制御が、試料セル１１０内において、固定された検出角Θにて、可変の測定位置をもたらすことを意味する。
【０１１５】
さらに、集束レンズ１３０は、Ａ（焦点可変レンズ１２５の平面内の検出ビームスポット）の共役像が（試料セル１１０内の）Ａ’に配置され、同様にＢ（焦点可変レンズ１２５の平面内の照射ビームスポット）の共役像が（試料セル１１０内の）Ｂ’に配置されるように構成される。それゆえに、焦点可変レンズ１２５から光軸に至る、集束レンズ１３０を通る何れの経路がとられるかにかかわらず、照射及び検出路１０６，１０８は、共に同一の挙動で変化し、サイズは一致したままとなる。このことは、複数の検出コヒーレンス領域を扱う場合に重要な利点となる場合がある。
【０１１６】
焦点可変レンズ１２５及び集束レンズ１３０の、それらの共通の光軸の両側における対称な照射は、試料内で、照射及び検出光路のスポットサイズが光軸に沿って一致すること、また、照射及び検出路の交点が光軸に沿って移動するときに試料内の検出角が一定のままであることを確実にする。
【０１１７】
焦点可変レンズ１２５の焦点距離が変更されると（変化δ）、スポットサイズが変化し、検出領域の体積に対応する変化をもたらす。いくつかの実施形態において、最小のスポット（つまり、検出領域）が、セル壁に最も接近する位置（より短い焦点距離に対応し得る）に生じる場合には有利である場合がある。なぜならば、これは、高濃度試料に関する利点（多重散乱事象が減少する）を有しながらもセル壁と検出器との間の距離を最小化するからである。検出角Θは、物理的に実現可能な任意の角度をとり得るが、Θ＜１０度が有利である場合がある。これは、この角度範囲では、比較的高濃度の試料に関する付加的な利点を有しながらも、多重散乱光が単散乱光と同様の緩和時間を有することが知られているからである。
【０１１８】
図８は、図７の実施形態に類似する別の実施形態を示しているが、照射及び検出光路１０６，１０８は、（それぞれ、焦点可変レンズ１２５の検出器及び光源側で）集束レンズ１３０の光軸に対して同一の角度をなしてはいない。本実施形態において、照射光路１０６は、集束レンズ１３０の軸に対して角度αをなし、検出光路は、集束レンズ１３０の軸に対して異なる角度βをなす。本例において、焦点可変レンズ１２５は、照射光路１０６上に第１可変レンズ素子を備え、検出光路１０８上に第２可変レンズ素子を備える。各焦点可変レンズ素子は、照射及び検出光路が、対応する焦点可変レンズの後方焦点距離（それぞれｆ１ａ−ｃｅｎｔｒｅ及びｆ１ｂ−ｃｅｎｔｒｅ）において、レンズ素子軸とそれぞれ交差するように構成されてもよい。この構成は、試料内の散乱体積の位置が、焦点可変レンズ１２５の焦点距離を調整することにより変化するため、一定の散乱角Θをもたらす。
【０１１９】
図９は、さらなる別の実施形態を示し、検出器３０６は、移動可能であり、かつ、散乱光が集束レンズ１３０又は焦点可変レンズ１２５を通過することなく、試料セル１１０からの散乱光を直接受光する。検出器３０６は、焦点可変レンズ１２５の焦点距離が変化するにつれて、試料内の照射ビームの変化する位置を追跡するために、散乱光を横切る方向に移動可能であってもよく、かつ／あるいは、例えば試料セル内の焦点スポットサイズを変更するために、長手方向に移動可能であってもよい。
【０１２０】
図１０は、さらなる別の実施形態を示し、検出器３０６は、焦点可変レンズの調整の結果として、試料内の様々な位置から散乱される光を受け取るように構成される複数の検出ファイバを備える。
【０１２１】
焦点可変レンズ１２５及び集束レンズ１３０は、図１１に示されるように、試料内で（例えば、Ｃにおいて）照射及び検出光路１０６，１０８をコリメートするように構成されてもよく、図１１は、その他の点では、図７の全ての特徴を有する。図７及び図１２の構成において、検出及び照射ビームは、集束レンズ１３０により試料内で（コリメートされるのではなく）集束される。
【０１２２】
図１３は、一実施形態による別の後方散乱検出構成を示し、検出光路１０８は、図１１に関して説明された全ての特徴を有する。該検出構成は、検出器３０６、焦点可変レンズ１２５、集束レンズ１３０、試料セル１１０、光源３０２、及び、照射ミラー１３２を備える。
【０１２３】
検出器３０６は、光ファイバを備え、（照射光路１０６に沿った照射の結果として）試料から散乱する光を検出する。ファイバ結合レンズは、検出光路１０８を検出ファイバに結合するために設けられる。検出光路１０８は、試料セル１１０から、集束レンズ１３０を通り、焦点可変レンズ１２５を通り、ファイバ結合レンズを通って、検出ファイバ３０６に入る。照射光路１０６は、焦点可変レンズ１２５を通過しないが、代わりに照射ミラー１３２により集束レンズ１３０を通るように（例えば、集束レンズの軸に沿って）方向付けられる。図１５の構成において、照射及び検出路は試料セル１１０内でコリメートされるものとして図示されているが、必ずしもこのようにする必要はなく、代わりに、試料セル１１０内で集束されてもよい。独立した照射光路を用いることは、検出構成のアライメントを単純化する可能性があり、つまり、より多くの光学素子を共通軸に沿って整列させることを容易にする可能性がある。
【０１２４】
図１４は、側方散乱検出構成を示しており、照射及び検出光路１０６，１０８は、試料１１０内で互いに対して９０度の角度をなす。検出光路１０８は、焦点可変レンズ１２５及び集束レンズ１３０を通過し、試料セル１１０内で集束される（なお、別の実施形態においては、代わりに、集束レンズ１３０により試料セル１１０内でコリメートされてもよい）。照射光路１０６は、１つ以上のレンズ（図示せず）により試料セル１１０内で集束されるか、又は、コリメートされてもよい。該１つ以上のレンズは、固定焦点距離又は焦点可変レンズを有していてもよい。
【０１２５】
側方散乱検出構成において、照射光路１０６と検出光路１０８との重なり部における検出領域は、非常に小さく（例えば、１００μｍ未満の範囲）なる傾向があり、それゆえに、光源（例えば、レーザ）の指向安定性、及び、（相対的に位置合わせして複数の光学素子を保持する）光学ベッドにおける、輸送及び熱的変動などに起因する特に（図示されるような）ｘ方向の光学的アライメントの変動の影響を受けやすい場合がある。
【０１２６】
焦点可変レンズ１２５は、任意のそのような光学的アラインメントのずれを、（少なくとも１自由度において）補償するために用いられてもよい。例えば、高散乱用途（例えば、混濁試料）の場合、集束系ではなくコリメートされたビームが有益となり得る場合がある。図１４にて示される例において、焦点可変レンズ１２５の焦点距離の調整は、検出光路のｘ方向（つまり、垂直方向）における（試料セル１１０内における照射光路１０６に対する）調整をもたらす。別の実施形態において、焦点可変レンズ１２５は、（例えば、垂直面ではなく水平面に検出光路１０８を有する）試料セル内で照射光路と平行なｚ方向、又は、ｙ方向を補償するように構成されてもよく、あるいは、例えば、焦点可変シリンドリカルレンズ、及び／又は、照射光路１０６に対してある合成角をなす検出光路１０８を用いて、（ｘ、ｙ又はｚ位置のうちの少なくとも１つの）複合的な調整を行うように構成されてもよい。
【０１２７】
照射及び検出光路の両方が、検出光路に関して説明されるものと同一の素子を有する、図１４に類似する構成が、妨げられた拡散を調査するために用いられてもよい。
図１５は、対称的な検出及び照射光路１０６，１０８を備える後方散乱検出構成を示す。図示される検出構成は、光源３０２、検出器３０６、焦点可変レンズ１２５、集束レンズ１３０、集束反射器／ミラー１３３、及び、試料セル１１０を備える。検出及び照射光路１０６，１０８のそれぞれは、焦点可変レンズ１２５への入射時に焦点可変レンズ１２５の軸に対して同一の角度αをなす。好適には、検出及び照射光路は、同一平面（例えば、水平又は垂直面）上にあってもよい。本実施形態において、集束レンズ１３０は、照射集束レンズ１３０ａ及び検出集束レンズ１３０ｂを備える。集束レンズ１３０は、照射及び検出光路１０６，１０８を、（湾曲した）集束ミラー１３３に向け、集束ミラー１３３は、照射及び検出光路１０６，１０８を試料セル１２５内の検出領域に（例えば、コリメートビーム又は集束ビームで）向かうように方向転換する。本実施形態においては、焦点可変レンズ１２５の焦点距離が変化しても、検出領域の位置は変化しない。代わりに、試料内の照射光路１０６と検出光路１０８との間の角度が変化する。焦点可変レンズ１２５の焦点距離が増加すると、試料セル１１０内の照射光路１０６と検出光路１０８との間の角度が増加する（そして、逆もまた成り立つ）。
【０１２８】
別の実施形態において、集束ミラー１３３は、集束レンズ１３０と試料セル１１０との間に配置されるさらなる集束レンズに置き換えられてもよい。
散乱角（つまり、散乱体積における照射光路と検出光路との間の角度）の調整を可能にする実施形態が、複数の測定角にて静的光散乱測定を実行するために用いられてもよい。いくつかの実施形態において、可変波長光源が用いられて、波長及び散乱角Θの両方が変化し得る（それにより、「ｑ」ベクトルのより広範囲の調整が可能となる）ようにしてもよい。
【０１２９】
図１６は、ヘテロダイン法を用いた後方散乱構成を示し、これは、図２０に示されるものと同じであるが、照射光路１０６と検出光路１０８との交点に配置されるビームスプリッタ１３４を備える。ビームスプリッタ１３４は、検出器３０６にて光ヘテロダイン法を実行するために、検出光路１０８上の散乱光と重ね合わせるための参照ビームとして、照射光ビームの一部を照射光路１０６から検出器３０６へ向けるように構成される。ビームスプリッタ１３４は、本明細書で説明される他の任意の実施形態（例えば、反射器を備えない実施形態）において用いられてもよく、この特定の例に限定されるものではない。
【０１３０】
いくつかの実施形態において、例えば、低周波粒子運動のヘテロダイン検出（例えば、ゼータ電位測定）を実行するために、参照ビーム及び／又は散乱光のうちの１つを変調することが有益となる場合がある。これを容易にするために、照射及び／又は検出光路における光学素子の少なくとも１つを移動可能としてもよい。
【０１３１】
前方散乱における変調ヘテロダイン検出に適した実施形態の例が図１７に示されている。本例における照射光路１０６は、集束ミラー１３３がより小さく、検出光路１０８内で用いられないことを除けば、図１６に示されるものと同一である。代わりに、図１７の検出光路１０８は、平面ミラー１３５を介して前方散乱を検出するように構成される。平面ミラー１３５は、前方散乱角の範囲で散乱される光を集束レンズ１３０ｂに向け、焦点可変レンズ１２５及びビームスプリッタ１３４を通過させ、検出器３０６に向かわせる。平面ミラー１３５は、散乱光を空間的に変調し、それにより、検出器３０６における変調ヘテロダイン検出を可能にするために、平面ミラー１３５を（例えばミラーの平面に直交する方向に）移動／振動させるように動作可能なアクチュエータ又は並進ステージ上に取り付けられてもよい。ビームダンプ１３１は、照射光ビームが試料セル１１０を通過した後に照射光ビームを捕捉するために設けられる。
【０１３２】
図１８は、変調ヘテロダイン前方散乱測定に適した別の実施形態を示しており、照射光路１０６及び検出光路１０８の焦点可変レンズ１２５におけるそれぞれの入射角α，βは異なるが、それ以外の点では図１８の例に類似する。照射及び検出光路１０６，１０８の交点におけるビームスプリッタの代わりに、ビームスプリッタは、（焦点可変レンズ１２５より前の）照射光路上に設けられ、再結合器が、検出器３０６の前で参照ビームを検出光路１０８と結合するために、検出光路上に設けられる。変調器１３６は、参照ビームの光路に設けられる。いくつかの実施形態において、ビームスプリッタ及び変調器は省略されてもよい。
【０１３３】
検出器３０６又は集束ミラー１３３などの任意の適切な素子が、変調をもたらすために作動／振動させられてもよい。
図１９は、本開示の実施形態に従い、試料セル１１０の様々なサイズ及び位置を補償するために、かつ／あるいは、様々な試料壁の屈折率及び／又は厚さを補償するために、焦点可変レンズ１２５がどのように用いられ得るかの例を示している。本例は、前方散乱検出構成であり、照射光路１０６は、明確さを向上するために輪郭のみで示されている。任意の照射光路が、本明細書で説明される補正と併せて用いられてもよい。
【０１３４】
試料セル１１０の断面積が大きい場合、焦点可変レンズ１２５の焦点距離を短くして、（例えば、試料が混濁している場合に）散乱体積を試料セル１１０の壁に近接して配置してもよい。試料セル１１０がより小さい場合、より長い焦点距離が適切であり得る。様々な屈折率及び壁厚を有する試料セル１１０は、角度のついた検出光路を様々な角度に屈折させ、散乱体積を試料セル１１０内の様々な位置に配置するであろう。焦点可変レンズ１２５の焦点距離の調整は、様々な屈折率及び様々なセル壁厚の両方を補償するために用いられてもよい。
【０１３５】
図２０を参照すると、欧州特許出願公開第２７２１３９９号明細書に説明される（かつ、図２１に示される）ものに類似する、液体内に懸濁させた粒子の表面電荷及び／又は電気泳動移動度を測定するためのディップセル構成が示されている。図２１は、光源１４、被験試料２２の試験面１２を電解液に接触させて被験試料２２を保持するための試料セル１６、及び、検出器１８を示す。この装置は、被験試料２２の試験面のゼータ電位を測定するように構成されてもよい。
【０１３６】
図２０に戻ると、試料セル１１０は、試料ホルダ１５０を受容するための測定チャンバを形成する。試料ホルダ１５０内の試料に電場をかけるための構成が設けられる。例えば、試料ホルダ１５０には、対向して（例えば、互いに面して）配置される一対の電極が設けられてもよく、試料の平面が電極面と直交して配列されるように、試料を一対の電極間の測定体積内の適切な位置に保持するように構成されてもよい。
【０１３７】
欧州特許出願公開第２７２１３９９号明細書においては、固定照射ビームから散乱される光が検出される散乱体積に対する試料の平面の位置を調整するために、機械的アクチュエータが設けられる。図２０の構成は、試料の平面と散乱体積１２０との相対位置を変化させるために（例えば、散乱体積が平面にどれくらい近接しているのかを変更するために）、どのように焦点可変レンズ１２５，１４５が用いられ得るかを例示している。
【０１３８】
本例の焦点可変レンズ１２５，１４５は、照射焦点可変レンズ１２５及び検出焦点可変レンズ１４５を備える。照射焦点可変レンズ１２５は、光源と試料との間（光源３０２と集束レンズ１３０ａとの間）に配置される。検出焦点可変レンズ１４５は、検出器３０６と試料との間（検出器３０６と集束レンズ１３０ｂとの間）に配置される。
【０１３９】
図２０の例において、光源３０２は、照射焦点可変レンズ１２５を介して散乱体積１２０を照射する。光源３０２は、照射焦点可変レンズ１２５の軸に対して角度αをなして照射焦点可変レンズ１２５に入射し、照射焦点可変レンズ１２５は、試料セル内のある位置を照射するために、照射光路を屈折させる。集束レンズ１３０ａは、例えば、試料セル１１０内で照射光ビームをコリメートするか又は集束するために、照射焦点可変レンズ１２５と試料セル１１０との間に設けられる。検出光路は、試料セルに対して照射光路と対称にしてもよく、この場合、対応する検出焦点可変レンズ１４５及び集束レンズ１３０ｂを備える。焦点可変レンズ１２５，１４５の焦点距離の調整は、試料セル１１０内の散乱体積１２０の（例えば、垂直方向における）位置を変化させる効果を有する。機械的アクチュエータを調整し、試料ホルダを照射光路に対して物理的に移動させる必要はもはやないため、表面電荷の測定は、このような構成を用いてより容易に自動化され得る。
【０１４０】
本明細書に開示される例示的実施形態いずれにおいても、焦点可変レンズは、焦点距離を調整可能な円柱状の屈折又は反射レンズを備えてもよい。図２０の実施形態において、焦点可変レンズ１２５は、調整可能なシリンドリカルレンズ又はミラーと置き換えられてもよい。この場合、光源と焦点可変レンズ１２５との間の照射光路、及び、焦点可変レンズ１２５から検出器への後方散乱検出路は、共に、試料内の光ビームの光路に対して（紙面内／外で）ある角度をなして位置してもよい。この場合、光ビーム及び後方散乱光の両方が、焦点可変レンズ１２５を通過する。これは、試料内の照射及び検出光路の垂直位置が、同時に変更されることを可能にする。焦点可変レンズ１２５が円柱状であるため、同一の屈折力が両方のビームに与えられ、試料内において、（レーザ及び検出路間で）同一の検出角がビーム対（照射及び検出）のそれぞれの垂直位置にて維持される。
【０１４１】
検出光路は、第１平面上にあってもよく、検出光路は、第２平面上にあってもよい。第１及び第２平面は、互いに対して非ゼロ角度をなしていてもよい。第１平面と第２平面との間の角度が、散乱角を規定してもよい。
【０１４２】
本明細書で開示される光学スキームを用いて、照射及び検出路の一致する位置を、他の光学検出レイアウトへ向かう単一モードファイバ、少数モードファイバ、多重モードファイバ、又は、ピンホール入射開口へ移動させるために、焦点可変レンズを用いることが可能である。このことは、可動部品なしで非接触性の後方散乱検出が実行されることを可能にし、粒子特性評価装置の寿命にわたる摩耗を大幅に削減し、例えば時間分解位置調査に関して、高周波（例えば、２０Ｈｚより大きい）における測定位置の変調の実現性を与える。
【０１４３】
検出領域の再配置を容易にする実施形態に関して、複数の他の用途が存在する。濃度勾配（例えば、垂直濃度勾配）は、様々な位置で複数の測定を行うことにより測定されてもよい。焦点可変レンズの再配置の速度は、従来の光学素子を動かす（ｓｌｅｗ）より速い場合があり、このような分析をより高速で行うことを可能にする。例えば、ＤＬＳを用いて異なるレオロジー特性のドメインの調査を行うために、ゲルドメインの位置が（ｘ、ｙ及びｚ方向のうちの少なくとも１つにおいて）調査されてもよい。
【０１４４】
いくつかの実施形態においては、低品質の試料セル上の傷や表面含有物を避けるために、照射又は検出光路の再配置を行うことが可能である。このような欠陥は、一般的に、コレログラムにおいて高計数率及び低切片をもたらす。これらの特徴がデータ及び／又はコレログラムに存在する場合には、装置は、（焦点可変レンズの焦点距離を変化させることにより、）異なる測定位置を試すように、かつ／あるいは、より最適な計数率及びコレログラム切片を有する測定位置を探すように構成されてもよい。
【０１４５】
（例えば、図１９に示されるような）照射光路に対する検出光路の調整を容易にする実施形態において、検出器を飽和させることなくより強い散乱を生じる試料を収容するために、意図的に照射及び検出光路の位置の整合をずらすことにより、装置のダイナミックレンジを増加させることができる場合もある。これは、照射及び／又は散乱光路に減衰フィルタを設けるよりも、より単純で的確であり得る。
【０１４６】
各例の特徴を他の例の特徴と組み合わせることができることが理解されるであろう。例えば、図２０の実施形態において、ファイバアレイ又は可動検出構成（図９及び１０に示されるものと類似のもの）が、焦点可変レンズ１４５の代わりに用いられてもよい。
【０１４７】
図２２を参照すると、一実施形態による例示的な方法が示されている。本方法は、試料内の粒子濃度を推定又は測定すること４０１を含む。例えば、流体内の粒子濃度は、（例えば、紫外分光法により）測定されてもよい。あるいは、ユーザは、試料内の粒子濃度の定性的測定を行うために（例えば、試料が混濁して見えるかどうか判定するために）試料を目視で検査してもよい。粒子特性評価装置は、（例えば、散乱強度測定又は計数率に基づいて）粒子濃度を自動的に推定するように構成されてもよく、あるいは、ユーザが粒子濃度の推定を入力してもよい。
【０１４８】
粒子濃度の推定／測定のステップ４０１に続いて、例えば試料の粒子濃度に応じて、検出領域の位置及び体積が調整される４０２。
検出領域が調整されると、検出領域が照射され、照射ビームの試料との相互作用により散乱された光が（例えば、検出器にて）検出される４０３。照射は、上述したものと同様に、光路に沿って行われ得る。同様にして、検出は、上述したもののように、光路に沿って行われ得る。
【０１４９】
散乱光の検出により得られたデータは、その後、検出された散乱光から試料の粒子特性を特定するために、周知の動的光散乱法に従い分析される４０４。このような分析は、処理装置を用いて実行されてもよく、結果は、画面上に表示されてもよく、あるいは、媒体（例えば、コンピュータ可読媒体）に記録されてもよい。
【０１５０】
検出光路が後方散乱光を検出するように構成される実施形態の例が説明されてきたが、別の実施形態においては、検出光路は、（例えば、照射光ビーム軸から９０度未満で散乱される）前方散乱光を検出するように構成されてもよい。さらに、検出器及び／又は光源を試料と結合するために光ファイバを用いる例が説明されてきたが、本発明は、自由空間光通信を用いる構成にも同様に適用できることが理解されるであろう。
【０１５１】
それぞれの態様又は実施形態において、検出器は、試料内の粒子特性（例えば、粒径及び／又は粒径分布）を明らかにするために、動的光散乱分析又は静的光散乱分析を実行するように構成され得る処理装置に信号を供給してもよい。このような分析の結果をユーザに表示するために、表示装置が設けられてもよい。
【０１５２】
当業者であれば、他の変形例及び変更例が明らかであり、このような変形例及び変更例も、添付の特許請求の範囲により定義される本発明の範囲内にあることが意図される。
【図１】
2020510838.tif 000003
【図２】
2020510838.tif 000004
【図３】
2020510838.tif 000005
【図４】
2020510838.tif 000006
【図５】
2020510838.tif 000007
【図６】
2020510838.tif 000008
【図７】
2020510838.tif 000009
【図８】
2020510838.tif 000010
【図９】
2020510838.tif 000011
【図１０】
2020510838.tif 000012
【図１１】
2020510838.tif 000013
【図１２】
2020510838.tif 000014
【図１３】
2020510838.tif 000015
【図１４】
2020510838.tif 000016
【図１５】
2020510838.tif 000017
【図１６】
2020510838.tif 000018
【図１７】
2020510838.tif 000019
【図１８】
2020510838.tif 000020
【図１９】
2020510838.tif 000021
【図２０】
2020510838.tif 000022
【図２１】
2020510838.tif 000023
【図２２】
2020510838.tif 000024
【国際調査報告】
2020510838.tif 000025
2020510838.tif 000026
2020510838.tif 000027